(57)【特許請求の範囲】
【請求項１】
壁部材と、室の天井側に位置する天井部材から前記壁部材を支持する壁支持部材と、を備える壁構造であって、
当該壁支持部材は、前記壁部材の下端側に固定されてかつ水平方向に延在する下側フレームと、前記天井部材から前記下側フレームを吊り下げ支持する吊り下げ支持部と、を備え、
前記下側フレームは、所定長さの複数の筒状の定尺部材を連結部材で連結して構成され、
前記連結部材を当該定尺部材の内部に挿入して、当該定尺部材同士の端面を突き合わせることにより、前記定尺部材同士が連結されることを特徴とする壁構造。
【発明の詳細な説明】
【技術分野】
【０００１】
本発明は、壁構造に関する。詳しくは、天井から吊り下げ支持された壁構造に関する。
【背景技術】
【０００２】
従来より、データセンタや電子デバイスの製造工場には、サーバや製造装置などの精密機器が収容されている。これらの工場では、精密機器を地震時の被害から保護するため、免震構造の床上に精密機器が設置される。この免震構造では、地震時には、精密機器が設置された免震床が水平に移動して、地震動が精密機器に与える影響を軽減する。
この場合、室内の仕上壁や柱周囲の仕上壁は、免震床から絶縁する必要があるため、壁材を天井躯体から吊り下げる構造とする。例えば、壁パネルの上端に所定間隔置きに治具を取り付け、この治具を天井の鋼材から吊りボルトで支持する（例えば、特許文献１参照）。
【先行技術文献】
【特許文献】
【０００３】
【特許文献１】特開２００２−１０６０９３号公報
【発明の概要】
【発明が解決しようとする課題】
【０００４】
しかしながら、以上の構成では、室の天井高が高い場合、壁パネルの高さ方向の長さも大きくなり、重量が増大する。よって、壁パネルには引張応力が発生するため、壁パネルの剛性を強化する必要がある。さらに、壁パネルの荷重は治具から離れる方向に作用するため、治具や吊りボルトを大型化する必要があり、コスト高となっていた。
【０００５】
本発明は、壁部材を低コストで確実に支持できる壁支持構造を提供することを目的とする。
【課題を解決するための手段】
【０００６】
請求項１に記載の壁構造は、壁部材と、室の天井側に位置する天井部材から前記壁部材を支持する壁支持部材と、を備える壁構造であって、当該壁支持部材は、前記壁部材の下端側に固定されてかつ水平方向に延在する下側フレームと、前記天井部材から前記下側フレームを吊り下げ支持する吊り下げ支持部と、を備え、前記下側フレームは、所定長さの複数の筒状の定尺部材を連結部材で連結して構成され、前記連結部材を当該定尺部材の内部に挿入して、当該定尺部材同士の端面を突き合わせることにより、前記定尺部材同士が連結されることを特徴とする。
【０００７】
この発明によれば、下側フレームを壁部材の下端側に固定して、この下側フレームを吊り下げ支持部により天井部材から支持した。
よって、壁部材を下端側から支持するので、壁部材には圧縮応力のみが発生するため、壁部材の剛性を強化する必要がない。さらに、壁パネルの荷重は下側フレームに押し付けるように作用するため、治具である下側フレームを大型化する必要がなく、壁部材を低コストで確実に支持できる。特に壁部材が高さ方向に長い場合、このような効果が顕著となる。
【０００８】
請求項２に記載の壁構造は、前記壁支持部材は、前記壁部材の上端側に固定されてかつ水平方向に延在する上側フレームをさらに備え、前記吊り下げ支持部は、前記上側フレームも吊り下げ支持することを特徴とする。
【０００９】
この発明によれば、下側フレームを介して壁部材の下端側を支持するとともに、上側フレームを介して壁部材の上端側を支持したので、上下のフレームで支持する荷重を分散できるから、壁部材をより確実に安定して支持できる。
【００１１】
また、請求項１に記載の発明によれば、定尺部材を連結することにより上側フレームや下側フレームを構成したので、連結する定尺部材の個数を適宜調整するだけで、フレームの長さを容易に調整できるから、フレームの製作コストを低減できる。
【００１２】
請求項４に記載の壁構造は、前記吊り下げ支持部は、複数の棒状の吊りボルトと、当該複数の吊りボルト同士を連結するターンバックルと、を備えることを特徴とする。
【００１３】
この発明によれば、ターンバックルで吊りボルト同士を連結したので、上側フレームや下側フレームの高さ位置を容易に調整できる。
【００１４】
請求項５に記載の壁構造は、前記吊り下げ支持部と前記壁部材の表面との間には、発泡性のゴムが介装されることを特徴とする。
【００１５】
この発明によれば、吊り下げ支持部と壁部材の表面との間に発泡性のゴムを介装したので、空調空気が壁部材に当たっても、壁部材が面外方向に振動するのを抑制できる。
【発明の効果】
【００１６】
本発明によれば、下側フレームを壁部材の下端側に固定して、この下側フレームを吊り下げ支持部により天井部材から支持した。よって、壁部材を下端側から支持するので、壁部材には圧縮応力のみが発生するため、壁部材の剛性を強化する必要がない。さらに、壁パネルの荷重は下側フレームに押し付けるように作用するため、治具である下側フレームを大型化する必要がなく、壁部材を低コストで確実に支持できる。特に壁部材が高さ方向に長い場合、このような効果が顕著となる。
【図面の簡単な説明】
【００１７】
【図１】本発明の一実施形態に係る壁構造が適用されたクリーンルームの斜視図である。
【図２】前記実施形態に係るクリーンルームの縦断面図である。
【図３】前記実施形態に係る壁支持部材の側面図である。
【図４】前記実施形態に係る上側フレームの分解斜視図である。
【図５】前記実施形態に係る下側フレームの分解斜視図である。
【発明を実施するための形態】
【００１８】
以下、本発明の一実施形態について、図面を参照しながら説明する。
図１は、本発明の一実施形態に係る壁構造が適用された室としてのクリーンルーム１０の斜視図である。図２は、クリーンルーム１０の縦断面図である。
【００１９】
このクリーンルーム１０の天井２０は、所定間隔おきに略平行に配置された水平に延びる長尺状の複数の天井フレーム２１と、これら天井フレーム２１同士に間に架け渡された天井パネル２２と、を備える。
クリーンルーム１０の天井裏には、水平に延びる天井部材としての吊り鋼材２３が架設されており、天井２０の天井フレーム２１は、この吊り鋼材２３から吊りボルト２４で吊り下げ支持されている。
【００２０】
クリーンルーム１０の内壁３０は、防火区画壁３１の内側に床面から所定間隔離れて設けられている。
この内壁３０は、水平方向に連続する壁部材としての壁パネル３２と、クリーンルーム１０の天井側に位置する吊り鋼材２３から壁パネル３２を支持する壁支持部材３３と、壁パネル３２を防火区画壁３１に固定する振れ止め部材３４と、を備える。
壁パネル３２とこの壁パネル３２に最も近い天井２０の天井フレーム２１との間の隙間は、隙間塞ぎ部材２５で塞がれている。
【００２１】
クリーンルーム１０の床は、図示しない積層ゴムで支持された免震床５０である。この免震床５０上には図示しない精密機器が設置されており、地震時には、この免震床５０が水平に移動して、地震動が精密機器に与える影響を軽減する。
免震床５０と防火区画壁３１の下端部との間には、収縮可能なエキスパンションジョイント５１が設けられている。
また、この免震床５０と壁パネル３２の下端部との間の隙間は、免震カバー５２で塞がれている。
【００２２】
図３は、壁支持部材３３の側面図である。
壁支持部材３３は、壁パネル３２の下端側に固定されてかつ水平方向に延在する下側フレーム６０と、壁パネル３２の上端側に固定されてかつ水平方向に延在する上側フレーム６１と、吊り鋼材２３から下側フレーム６０および上側フレーム６１を吊り下げ支持する吊り下げ支持部６２と、を備える。
【００２３】
吊り下げ支持部６２は、固定クランプ６３、第１吊りボルト６４、上側ターンバックル６５、第２吊りボルト６６、第３吊りボルト６７、下側ターンバックル６８、および第４吊りボルト６９を備える。
【００２４】
第１吊りボルト６４、第２吊りボルト６６、第３吊りボルト６７、および第４吊りボルト６９は、鋼製であり、上下方向に延びる棒状である。
固定クランプ６３は、コの字形状であり、図示しない固定ボルトを締め付けることにより、吊り鋼材２３に固定されている。
第１吊りボルト６４は、この第１吊りボルト６４を固定クランプ６３に挿通して、この固定クランプ６３の上下に配置されたナット６４１を締め付けることにより、固定クランプ６３に固定されている。
【００２５】
上側ターンバックル６２は、第１吊りボルト６４と第２吊りボルト６６とを連結するものである。上側ターンバックル６２の上端には、第１吊りボルト６４が螺合され、上側ターンバックル６５の下端には、第２吊りボルト６６が螺合している。この上側ターンバックルを回転させることにより、第１吊りボルト６４と第２吊りボルト６６との距離を調整できるようになっている。
【００２６】
上側フレーム６１は、アルミ押出し成形品であり、壁パネル３２の上端側を支持するものである。上側フレーム６１は、第２吊りボルト６６の下端側を上側フレーム６１の上端側に挿通してナット６６１を締め付けることにより、第２吊りボルト６６に固定される。
また、第３吊りボルト６７の上端側を上側フレーム６１の下端側に挿通してナット６７１を締め付けることにより、第３吊りボルト６７は、上側フレーム６１に固定される。
【００２７】
上側フレーム６１は、断面矩形状で筒状のフレーム本体６１１と、このフレーム本体６１１の上端両側に水平に突出する鍔部６１２と、を備える。このような構造とすることにより、上側フレーム６１の剛性が強化されている。室内側の鍔部６１２には、断面略Ｌ字形状のアングル材６１３が固定されている。
壁パネル３２の上端部は、鍔部６１２およびアングル材６１３で囲まれた空間に挿入されて、固定されている。
【００２８】
図４は、上側フレーム６１の分解斜視図である。
上側フレーム６１は、水平方向に連続する壁パネル３２の上端に沿って水平方向に延びている。この上側フレーム６１は、所定長さの複数の定尺部材６１４を連結部材６１５で連結して構成される。
すなわち、連結部材６１５は断面矩形状の筒状であり、この連結部材６１５を上側フレーム６１のフレーム本体６１１の内部に挿入して、定尺部材６１４同士の端面を突き合わせる。この状態でフレーム本体６１１の側面にボルト６１６を貫通してナット６１７を締付けることで、連結部材６１５が定尺部材６１４に固定される。これにより、連結部６１５を介して、定尺部材６１４同士を連結する。
【００２９】
図３に戻って、下側ターンバックル６８は、第３吊りボルト６７と第４吊りボルト６９とを連結するものである。下側ターンバックル６８の上端には、第３吊りボルト６７が螺合され、下側ターンバックル６８の下端には、第４吊りボルト６９が螺合している。この下側ターンバックルを回転させることにより、第３吊りボルト６７と第４吊りボルト６９との距離を調整できるようになっている。
下側ターンバックル６８の周囲には、発泡性のゴム６８１が巻き付けられており、これにより、下側ターンバックル６８と壁パネル３２の表面との間には、発泡性のゴム６８１が介装されることになる。
【００３０】
下側フレーム６０は、アルミ押出し成形品であり、壁パネル３２の下端側を支持するものである。第４吊りボルト６９の上端側を下側フレーム６０の上端側に挿通してナット６９１を締め付けることにより、下側フレーム６０は、第４吊りボルト６９に固定される。
【００３１】
下側フレーム６０は、水平方向に延びる断面矩形筒状のフレーム本体６０１と、このフレーム本体６０１の上端両側に水平に突出する鍔部６０２と、を備える。このような構造とすることにより、下側フレーム６０の剛性が強化されている。室内側の鍔部６０２には、断面略Ｌ字形状のアングル材６０３が固定されている。
壁パネル３２の下端部は、鍔部６０２およびアングル材６０３で囲まれた空間に挿入されて、固定されている。
【００３２】
図５は、下側フレーム６０の分解斜視図である。
下側フレーム６０は、水平方向に連続する壁パネル３２の下端に沿って水平方向に延びている。この下側フレーム６０は、所定長さの複数の定尺部材６０４を連結部材６０５で連結して構成される。
すなわち、連結部材６０５は断面矩形状の筒状であり、この連結部材６０５を下側フレーム６０のフレーム本体６０１の内部に挿入して、定尺部材６０４同士の端面を突き合わせる。この状態でフレーム本体６０１の側面にボルト６０６を貫通してナット６０７を締付けることで、連結部材６０５が定尺部材６０４に固定される。これにより、連結部６０５を介して、定尺部材６０４同士を連結する。
【００３３】
本実施形態によれば、以下のような効果がある。
（１）下側フレーム６０を壁パネル３２の下端側に固定して、この下側フレーム６０を吊り下げ支持部６２により吊り鋼材２３から支持した。
よって、壁パネル３２を下端側から支持するので、壁パネル３２には圧縮応力のみが発生するため、壁パネル３２の剛性を強化する必要がない。さらに、壁パネル３２の荷重は下側フレーム６０に押し付けるように作用するため、治具である下側フレームを大型化する必要はなく、壁パネル３２を低コストで確実に支持できる。特に壁パネルが高さ方向に長い場合、このような効果が顕著となる。
【００３４】
（２）下側フレーム６０を介して壁パネル３２の下端側を支持するとともに、上側フレーム６１を介して壁パネル３２の上端側を支持したので、上下のフレーム６０、６１で支持する荷重を分散できるから、壁パネル３２をより確実に安定して支持できる。
【００３５】
（３）定尺部材６０４、６１４を連結することにより上側フレーム６１および下側フレーム６０を構成したので、連結する定尺部材６０４、６１４の個数を適宜調整するだけで、フレーム６０、６１の長さを容易に調整できるから、フレームの製作コストを低減できる。
【００３６】
（４）上側ターンバックル６５で吊りボルト６４、６６同士を連結し、下側ターンバックル６８で吊りボルト６７、６９同士を連結した。よって、上側ターンバックル６５を調整することにより、上側フレーム６１および下側フレーム６０の高さ位置を容易に調整できる。また、下側ターンバックル６８を調整することにより、上側フレーム６１と下側フレーム６０との間隔を容易に調整できる。
【００３７】
（５）吊り下げ支持部６２を壁パネル３２の裏側に配置したので、埃がたまりにくいうえに、メンテナンス容易である。
【００３８】
（６）吊り下げ支持部６２の下側ターンバックル６８の周囲に発泡性のゴム６８１を巻き付けて、下側ターンバックル６８と壁パネル３２の表面との間に発泡性のゴム６８１を介装したので、空調空気が壁パネル３２に当たっても、壁パネル３２が面外方向に振動するのを抑制できる。
【００３９】
（７）クリーンルーム１０の床を免震床５０とし、壁パネル３２をこの免震床５０の床面から所定間隔離して設けたので、壁パネル３２が免震床５０とともに水平移動するのを防止できる。
【００４０】
なお、本発明は前記実施形態に限定されるものではなく、本発明の目的を達成できる範囲での変形、改良等は本発明に含まれるものである。
【符号の説明】
【００４１】
１０…クリーンルーム（室）
２０…天井
２１…天井フレーム
２２…天井パネル
２３…吊り鋼材（天井部材）
２４…吊りボルト
２５…隙間塞ぎ部材
３０…内壁
３１…防火区画壁
３２…壁パネル（壁部材）
３３…壁支持部材
３４…振れ止め部材
５０…免震床
５１…エキスパンションジョイント
５２…免震カバー
６０…下側フレーム
６１…上側フレーム
６２…吊り下げ支持部
６３…固定クランプ
６４…第１吊りボルト
６５…上側ターンバックル
６６…第２吊りボルト
６７…第３吊りボルト
６８…下側ターンバックル
６９…第４吊りボルト
６０１、６１１…フレーム本体
６０２、６１２…鍔部
６０３、６１３…アングル材
６０４、６１４…定尺部材
６０５、６１５…連結部材
６０６、６１６…ボルト
６０７、６１７、６４１、６６１、６７１、６９１…ナット
【図１】
0005610633.tif 000002
【図２】
0005610633.tif 000003
【図３】
0005610633.tif 000004
【図４】
0005610633.tif 000005
【図５】
0005610633.tif 000006